【事件の表示】
　平成１０年特許願第１７４６４０号「プリント基板の３次元表示装置」拒絶査定不服審判事件〔平成１２年　１月１４日出願公開、特開２０００−　１１０１２〕について、次のとおり審決する。
【結　論】
　本件審判の請求は、成り立たない。
【理　由】
１．手続の経緯・本願発明
　本願は、本願は、平成１０年６月２２日の出願であって、平成１８年１０月６日付けで拒絶査定がなされ、これに対し、同年１１月１４日に拒絶査定に対する審判請求がなされたが、平成２０年５月２日付けで拒絶理由が通知され、これに対し、平成２０年７月３日付けで手続補正がなされたものである。
　本願の特許請求の範囲の請求項１ないし３に係る発明は、平成２０年７月３日付け手続補正書により補正された明細書及び図面の記載からみて、その特許請求の範囲の請求項１ないし３に記載された事項により特定されるとおりのものと認められるところ、その請求項１に係る発明（以下、「本願発明」という。）は以下のとおりのものである。
　
「【請求項１】
　ＣＡＤシステムに用いられ、基板内部の配線状態を３次元表示するプリント基板の３次元表示装置であって、
設計に必要となるデータを入力する図形入力部と、
２次元の図形データ、基板の各層の厚み及び導体の厚みのデータを記憶するデータベース記憶部と、
前記図形入力部又は前記データベース記憶部から読み出したデータの処理を行うデータ処理部と、
　前記２次元の図形データ、基板の各層の厚み及び導体の厚みのデータをもとに３次元の図形データを作成する３次元データ処理部と、
　前記２次元の図形データを表示する２次元データ表示部と、
　前記３次元の図形データを表示する３次元データ表示部と、を有し、
　３次元表示要求があった場合、前記データ処理部は前記データベース記憶部から指定された範囲に存在するデータを検索し、該検索したデータを前記３次元データ処理部に送り、前記３次元データ表示部で図形要素が選択された場合、前記３次元データ処理部は前記選択されたデータを前記データ処理部に送ることにより、前記データ処理部と前記３次元データ処理部が連携して動作することを特徴とするプリント基板の３次元表示装置。」
　
２．引用例
　これに対して、当審において、平成２０年５月２日付けで通知した拒絶理由に引用された、特開平６−６０１４８号公報（以下「引用例」という。）には、図面とともに以下の事項が記載されている。
　
　ア　「【０００１】
【産業上の利用分野】この発明は、電気製品などにおける回路基板の基板設計支援装置に関するものである。
【０００２】
【従来の技術】従来の基板設計支援装置は基板での配線パターンを２次元画像として表示するものであった。
【０００３】図３は、従来の基板設計支援装置１０を示すブロック図である。図３において、ＣＰＵ１１はプログラムＲＯＭ１６に格納されているプログラムに従って、適宜ワーキングＲＡＭ１２を用いて、当該基板設計支援装置１０の全体制御を行う。
【０００４】また、基板設計支援装置１０は入出力部１７をもち、キーボード１９やマウス２０からのデータやコマンド等によりＣＲＴ１５に表示されている基板の画像を見ながら基板設計に関する操作を行ったり、また場合によっては配線パターンをプロッタ１８を通じて印刷していた。」
　イ　「【００１０】
【課題を解決するための手段】かかる問題を解決するため、本発明においては、多層の各基板に設計された配線データから、多層基板全体の配線構造を立体画像として表示する手段を具備するものである。
【００１１】
【作用】この発明は、数層からなるプリント基板の配線構造を３次元的に表示することで、パターンのレイアウトや追加、削除などの作業の効率化をはかることが出来る。」
　ウ　「【００１３】図１はこの実施例の全体構成を示すブロック図である。図３との同一対応部分には同一符号を付して示している。この図１に示すように実施例では、従来構成に加えて、数層からなる配線構造を３次元的に表現するための３次元画像生成部２４と右目用及び左目用に視点および視線方向をそれぞれ設定し、３次元画像生成部２４にて生成された、右目用画像と左目用画像を蓄積しておくための、右目用画像メモリ２３と左目用画像メモリ２２と右目用及び左目用のメモリを交互にフレームメモリ１３に転送し、さらに右目と左目とを切り換えたことをしめす切り換え信号２７を出力する立体画像制御部２５と立体視用眼鏡２６が設けられている。立体画像制御部２５から出力される切り換え信号にて立体視用眼鏡２６は左右の目を交互におおう。ここで簡単に立体的に画像が見える原理について、説明しておく。図５がその概念図である。あらかじめ両眼視差に基づいて生成された右目用画像と左目用画像を交互にＣＲＴに表示をし、それと同時に右目または左目をおおう。するとある時刻においては、左目にだけに左目画像が、またある時刻ではその逆になる。残像によりあたかも両眼の左右の画像が両方入ってくるようになり、両眼視差により立体的に見えるというものである。この際左右の目をおおうものとして液晶シャッタを用いたり、ちらつきをなくすために、ＣＲＴの垂直同期周波数を調節したりする。
【００１４】また、図２はこの実施例の動作の概要を示すフローチャートである。まず基板の形状および配線構造を３次元的に登録する（ステップＳＰ１０）。どこを見るか、両眼視差に基づいて右目用と左目用の視点及び視線方向の設定を行う（ステップＳＰ１１）。
【００１５】設定された視点及び視線方向をもとに、左目用と右目用の３次元画像を生成するしそれぞれ専用の左目用画像メモリ２２、および右目用画像メモリ２３に蓄積する（ステップＳＰ１２）。さらに、立体画像制御部にて生成された２つの画像を表示コントローラ１４をとおして、交互にフレームメモリ１３に転送し、さらに左右の切り換え信号２７を出力する（ステップＳＰ１３）。立体視用眼鏡２６を使って立体的に画面を見ながら、配線パターンの変更、追加等の作業を行う（ステップＳＰ１４）。視線の変更が必要ならば（ステップＳＰ１５）、今までの変更等を登録するためにステップＳＰ１０へ戻り、もし終了するならば（ステップＳＰ１６）、今までの作業内容を登録し（ステップＳＰ１７）、終了する。」
　
　これらの記載及び図面によれば、引用例には、
　「回路基板の基板設計支援装置において、多層の各基板に設計された配線データから、多層基板全体の配線構造を立体画像として表示する手段であって、
　プログラムＲＯＭ１６に格納されているプログラムに従って、適宜ワーキングＲＡＭ１２を用いて、当該基板設計支援装置１０の全体制御を行うＣＰＵ１１と、
　キーボード１９やマウス２０からのデータやコマンド等によりＣＲＴ１５に表示されている基板の画像を見ながら基板設計に関する操作を行う入出力部１７と、
　数層からなる配線構造を３次元的に表現するための３次元画像生成部２４と、
　立体画像制御部２５、フレームメモリ１３、表示コントローラ１４及びＣＲＴ１５と、を有し、
　まず基板の形状および配線構造を３次元的に登録し（ステップＳＰ１０）、どこを見るか、両眼視差に基づいて右目用と左目用の視点及び視線方向の設定を行い（ステップＳＰ１１）、設定された視点及び視線方向をもとに、左目用と右目用の３次元画像を生成してそれぞれ専用の左目用画像メモリ２２、および右目用画像メモリ２３に蓄積し（ステップＳＰ１２）、さらに、立体画像制御部にて生成された２つの画像を表示コントローラ１４をとおして、交互にフレームメモリ１３に転送し、さらに左右の切り換え信号２７を出力し（ステップＳＰ１３）、立体視用眼鏡２６を使って立体的に画面を見ながら、配線パターンの変更、追加等の作業を行う（ステップＳＰ１４）、
　手段。」
の発明（以下、「引用発明」という。）が記載されていると認められる。
　
３．対比
　本願発明と引用発明とを対比する。
（１）引用発明は、「回路基板の基板設計支援装置」に用いられる「多層基板全体の配線構造を立体画像として表示する手段」に係るものであり、前記「立体画像」表示は、「３次元表示」の一形態であるから、「引用発明と本願発明は、いずれも、「ＣＡＤシステムに用いられ、基板内部の配線状態を３次元表示するプリント基板の３次元表示装置」ということができる。
（２）引用発明は、「キーボード１９やマウス２０からのデータやコマンド等によりＣＲＴ１５に表示されている基板の画像を見ながら基板設計に関する操作を行う入出力部１７」を有し、また、「基板の形状および配線構造を３次元的に登録」するステップを有することから、本願発明の「設計に必要となるデータを入力する図形入力部」に相当する構成を有することは明らかである。
（３）引用発明は、「基板の形状および配線構造を３次元的に登録」するステップを有することから、登録されたデータを記憶する記憶手段を備えることは明らかであり、また、前記「基板の形状および配線構造」と本願発明の「２次元の図形データ、基板の各層の厚み及び導体の厚みのデータ」とは、上位概念で包括すれば「設計データ」といえるから、両者は、「設計データを記憶するデータベース記憶部」を有する点で共通するといえる。
（４）引用発明の「ＣＰＵ１１」は、「プログラムＲＯＭ１６に格納されているプログラムに従って、適宜ワーキングＲＡＭ１２を用いて、当該基板設計支援装置１０の全体制御を行う」ものであるから、本願発明の「図形入力部又は前記データベース記憶部から読み出したデータの処理を行うデータ処理部」としての機能を備えることは明らかである。
（５）引用発明の「３次元画像生成部２４」は、「数層からなる配線構造を３次元的に表現する」ものであって、「基板の形状および配線構造を３次元的に登録し（ステップＳＰ１０）、どこを見るか、両眼視差に基づいて右目用と左目用の視点及び視線方向の設定を行い（ステップＳＰ１１）、設定された視点及び視線方向をもとに、左目用と右目用の３次元画像を生成してそれぞれ専用の左目用画像メモリ２２、および右目用画像メモリ２３に蓄積」するものであるから、本願発明の「２次元の図形データ、基板の各層の厚み及び導体の厚みのデータをもとに３次元の図形データを作成する３次元データ処理部」と対比すれば、両者は、「設計データをもとに３次元の図形データを作成する３次元データ処理部」である点で共通するといえる。
（６）引用発明の「ＣＲＴ１５」は、「立体画像制御部２５、フレームメモリ１３、表示コントローラ１４」により、生成された３次元画像を表示するものであるから、本願発明の「３次元の図形データを表示する３次元データ表示部」に相当する。
（７）引用発明は、３次元データ表示にあたって、「どこを見るか、両眼視差に基づいて右目用と左目用の視点及び視線方向の設定を行い（ステップＳＰ１１）、設定された視点及び視線方向をもとに、左目用と右目用の３次元画像を生成してそれぞれ専用の左目用画像メモリ２２、および右目用画像メモリ２３に蓄積し（ステップＳＰ１２）、さらに、立体画像制御部にて生成された２つの画像を表示コントローラ１４をとおして、交互にフレームメモリ１３に転送し、さらに左右の切り換え信号２７を出力し（ステップＳＰ１３）、立体視用眼鏡２６を使って立体的に画面を見ながら、配線パターンの変更、追加等の作業を行う（ステップＳＰ１４）」ものであり、前記処理は、「３次元表示要求」があったことを前提としていること、ＣＰＵ１１により制御されていること、更に、前記３次元画像の生成にあたっては、登録された基板の形状および配線構造のデータを「３次元画像生成部２４」に送っていることは、いずれも明らかであるから、引用発明と本願発明とは、「３次元表示要求があった場合、データ処理部はデータベース記憶部からデータを３次元データ処理部に送」る点で共通するといえる。
　
　以上を踏まえると、本願発明と引用発明とは、以下の点で一致ないし相違する。
　【一致点】
　「ＣＡＤシステムに用いられ、基板内部の配線状態を３次元表示するプリント基板の３次元表示装置であって、
　設計に必要となるデータを入力する図形入力部と、
　設計データを記憶するデータベース記憶部と、
　前記図形入力部又は前記データベース記憶部から読み出したデータの処理を行うデータ処理部と、
　前記設計データをもとに３次元の図形データを作成する３次元データ処理部と、
　前記３次元の図形データを表示する３次元データ表示部と、を有し、
　３次元表示要求があった場合、前記データ処理部は前記データベース記憶部からデータを３次元データ処理部に送る、
　プリント基板の３次元表示装置。」
　【相違点１】
　「設計データ」が、本願発明は、「２次元の図形データ、基板の各層の厚み及び導体の厚みのデータ」であるに対し、引用発明は、「基板の形状および配線構造」であり、「基板の各層の厚み及び導体の厚みのデータ」を含むことは特定されていない点。
　【相違点２】
　本願発明は、「２次元の図形データを表示する２次元データ表示部」を有するのに対し、引用発明は、２次元データ表示部について特定されていない点。
　【相違点３】
　３次元表示要求があった場合、データ処理部が３次元データ処理部に送るデータが、本願発明は、「指定された範囲に存在するデータを検索」したデータであるのに対し、引用発明は、前記データが特定されていない点。
　【相違点４】
　本願発明は、「３次元データ表示部で図形要素が選択された場合、前記３次元データ処理部は前記選択されたデータを前記データ処理部に送る」ものであり、「データ処理部と３次元データ処理部が連携して動作する」のに対し、引用発明は、前記動作が特定されていない点。
　
４．判断
（１）相違点１について
　ＣＡＤ装置において、３次元表示に必要なデータは、表示態様や設計内容等に応じて必然的に定まる事項であり、引用発明において、登録される「基板の形状および配線構造」に係るデータとして、「２次元の図形データ、基板の各層の厚み及び導体の厚みのデータ」を含ませることは、当業者が必要に応じて選択できる事項である。
　したがって、相違点１は格別のことではない。
（２）相違点２について
　ＣＡＤシステムに用いられる３次元表示装置において、３次元データ表示部に加え、２次元の図形データを表示する２次元データ表示部を有する構成とすることは、例えば、当審における拒絶理由に引用した、特開平７−１７５８３５号公報に記載されているように周知であり、引用発明のＣＲＴ１５における表示態様として、前記周知の構成を採用することは、当業者が適宜なし得る設計事項である。
　したがって、相違点２は格別のことではない。
　
　なお、上記特開平７−１７５８３５号公報には、例えば、次の記載がある。
　「【課題を解決するための手段】本発明のパターン表示装置は、全層の設計用データを保持するデータベース保持装置と、データベース保持装置が保持する設計用データをディスプレイに表示する表示装置と、ディスプレイ表示を平面表示、立体表示に切り替える第１のデータ切り替え手段と平面データをウインドウ表示し、ウインド表示された平面データの一部を選択するとその領域をディスプレイに立体表示する第２のデータ切り替え手段と、設計及び各項目の選択を行なう入力装置とを有する。」（段落【０００６】）
　
（３）相違点３について
　ＣＡＤシステム等の表示装置一般において、表示のための画像を生成するにあたり、表示範囲を指定し、該指定された表示範囲の画像生成に必要なデータを抽出し、該データを画像を生成する手段に送ることは、常套手段であり、相違点３は格別のことではない。
　
（４）相違点４について
　ＣＡＤシステムの３次元表示装置において、３次元データ表示部で図形要素を選択し、該選択されたデータをデータ処理部に送ることは、例えば、特開平３−１７１２６０号公報に記載されているように、周知の技術手段であり、また、装置に新たな機能を付加する場合、既存の構成要素に前記機能を分担させることは、常套手段である。
　したがって、引用発明において、前記周知の技術手段を付加し、その際、「３次元データ処理部」である３次元画像生成部２４に「選択されたデータを前記データ処理部に送る」機能を持たせ、結果として「データ処理部と３次元データ処理部が連携して動作する」構成とすることは、当業者が容易に想到し得ることである。
　
　なお、上記特開平３−１７１２６０号公報には、図面とともに次の記載がある。
　「本発明は半導体集積回路の構成要素のレイアウトパターンを立体的に画面表示すると共に、その立体表示の画面上でレイアウトパターンの修正を行えるグラフィックエディタ装置に関する。」（１ページ左下欄１９行〜右下欄３行）
　「ここで、ＣＰＵ１２は設計者の指示に基づき半導体集積回路（以下ＬＳＩと呼称する。）の構成要素の立体的な位置関係を決定する位置関係決定手段１８と、決定された構成要素の位置関係を用いてその構成要素の位置並びに形状を設計者が指定した視点から透視図で画面表示するよう指示する立体図表示手段１９と、表示された構成要素のレイアウトパターンの変更に関し設計者の修正作業を支援する修正支援手段２０を備える。」（３ページ右上欄３行〜１１行）
　「次いで、設計者がマウス１６を操作してレイアウトパターンの修正対象となる構成要素を画面上で指定すると、この指定された構成要素がＣＰＵ１２の修正支援手段２０により特定され主記憶部１１に格納される。」（３ページ右下欄１８行〜４ページ左上欄２行）
　
　そして、これらの相違点を総合的に勘案しても、本願発明の奏する作用効果は、引用発明及び周知技術の奏する作用効果から予測される範囲内のものにすぎず、格別顕著なものということはできない。
　
　したがって、本願発明は、引用発明及び周知技術並びに常套手段に基づいて、当業者が容易に発明をすることができたものである。
　
５．むすび
　以上のとおり、本願発明は、引用例に記載された発明及び周知技術並びに常套手段に基づいて、当業者が容易に発明をすることができたものであり、特許法２９条２項の規定により特許を受けることができないから、本願は、他の請求項について検討するまでもなく、拒絶すべきものである。
　よって、結論のとおり審決する。